(57)【特許請求の範囲】
【請求項１】
柔軟性を有する熱可塑性樹脂を用いて適宜な巾を有する長尺状に形成され、上縁部に、裏面側に腰壁部材の下端縁を被掩する挿込みアンダーカット部を形成すると共に、表面側に上記腰壁部材の下端縁表面に付勢接触する断面形状が略四半円円弧状であり、先が略鷲の嘴のように鋭く曲がった壁面圧接縁が延設され、上記上縁部の裏面上端と壁面圧接縁の根元間が略平坦であり、下縁部には表側に向けて湾曲し断面略先細り形状に形成されその裏面が床部材の端縁表面に弾性接触する床面圧接縁を延設せしめてなることを特徴とする腰壁用巾木。
【請求項２】
前記上縁部を、他の部分より肉厚く形成してなる請求項１記載の腰壁用巾木。
【請求項３】
建物の壁面に腰壁部材を設置し床面に床部材を敷設した後に、前記請求項１記載の腰壁用巾木を、その挿込みアンダーカット部で上記腰壁部材の下端縁を被掩するように配置すると共に前記床面圧接縁で上記壁廻りに敷設された床部材の端縁表面を被掩するように弾性接触させ、その状態で当該腰壁用巾木を建物の壁面に接着剤で貼り付けるようにしたことを特徴とする腰壁用巾木の施工方法。
【発明の詳細な説明】
【０００１】
【発明の属する技術分野】
本発明は、建物の床面近くにあって壁面に設置される合成樹脂製巾木に関し、特に、建物の壁面に設置された腰壁パネルや腰壁シート等の腰壁部材との境界部に用いるのに適した腰壁用巾木に関するものである。
【０００２】
【従来の技術】
近年、一般住宅や病院および老健施設における廊下・居室等において、車椅子やストレッチャーなどの接触による壁面の保護を図ると共に汚れを防止し且つ意匠・デザイン性（外観）の向上を目的として、腰壁の設置が求められるようになってきた。
しかし乍ら、腰壁部材との境界を構成する巾木については適当なものが提供されていないのが現状である。すなわち従来では、図３に示すごとく、合成樹脂製の薄い巾木Ａ’を腰壁部材（腰壁シート）Ｃの上から貼り付けて設置したり、或いは図４に示すごとく、腰壁部材Ｃの下端縁Ｃ１に木製の巾木Ａ”を突き合わせて設けていた。その為に、前者の合成樹脂製の薄い巾木Ａ’を用いた場合には、巾木としての立体感に乏しいので設置した際の外観意匠性に劣ると共に巾木と重ね張りされた腰壁部材の部分Ｃ１’における材料ロス（無駄）が生じ、また、後者の木製の巾木Ａ”を用いた場合には、巾木の上端縁と突き合わされる腰壁部材Ｃの下端縁Ｃ１を外観上きれいに仕上げるためのカットに手間取るだけでなく、施工後に腰壁部材Ｃの下端縁Ｃ１が剥がれたりめくれ上がる可能性がある。しかも、多くの場合、巾木が設置された後に床部材の敷設工事が行われるので、巾木と突き合わされる床部材Ｅにおいて壁回りカット（床部材Ｅの端縁Ｅ１を壁面に合わせてカットすること）が必要となり、床部材の敷設に手間がかかる不具合があった。
【０００３】
【発明が解決しようとする課題】
本発明はこのような現状に鑑みてなされたものであり、施工性に優れ且つ施工後の外観意匠性にも優れた腰壁用巾木及びその施工方法を提供せんとするものである。
【０００４】
【課題を解決するための手段】
斯かる目的を達成する本発明の腰壁用巾木は、柔軟性を有する熱可塑性樹脂を用いて適宜な巾を有する長尺状に形成され、上縁部に、裏面側に腰壁部材の下端縁を被掩する挿込みアンダーカット部を形成すると共に、表面側に上記腰壁部材の下端縁表面に付勢接触する断面形状が略四半円円弧状であり、先が略鷲の嘴のように鋭く曲がった壁面圧接縁が延設され、上記上縁部の裏面上端と壁面圧接縁の根元間が略平坦であり、下縁部には表側に向けて湾曲し断面略先細り形状に形成されその裏面が床部材の端縁表面に弾性接触する床面圧接縁を延設せしめてなることを特徴としたものである。この際、巾木としての立体感を高めるために、前記上縁部を他の部分より肉厚く形成することが好ましい。また、本発明に係る腰壁用巾木の施工方法は、建物の壁面に腰壁部材を設置し床面に床部材を敷設した後に、前記請求項１記載の腰壁用巾木を、その挿込みアンダーカット部で上記腰壁部材の下端縁を被掩するように配置すると共に前記床面圧接縁で上記壁廻りに敷設された床部材の端縁表面を被掩するように弾性接触させ、その状態で当該腰壁用巾木を建物の壁面に接着剤で貼り付けるようにしたことを特徴としたものである。
【０００５】
【発明の実施の形態】
以下、本発明の具体的な好適実施例を図面に基づいて詳細に説明するが、本発明は図示実施例のものに限定されるものではなく、いろいろなバリエーションが考えられる。また、全図面を通して、同様の構成部材には同じ符号を付して、重複する説明は省略する。
【０００６】
本発明に係る腰壁用巾木Ａは、柔軟性を有する熱可塑性樹脂を用いて、通常の樹脂用押出し成形機または樹脂用多層押出し成形機等でもって、適宜所望の巾を有する長尺状に形成される。具体的に、その長さは、定尺ものでは１ｍ〜１０ｍ、好ましくは２ｍ〜５ｍ程に形成され、巻きものの場合には５ｍ〜５０ｍ程に形成され、また幅Ｌ１は１０ｍｍ〜５００ｍｍ、好ましくは５０ｍｍ〜２００ｍｍ程に形成され、また最大肉厚Ｌ２は２ｍｍ〜５０ｍｍ、好ましくは５ｍｍ〜３０ｍｍ程に形成される。そして、その表面側には、印刷による図柄模様や押出成形の金型形状を適宜選択することにより、表面凹凸の付与或いは意匠等の所望の外観デザインが施され、建物の壁面Ｂに設置された腰壁パネルや腰壁シート等の腰壁部材Ｃの下端縁Ｃ１と床面Ｄに敷設された床部材Ｅとにわたり、壁面Ｂに沿ってその長さ方向が横方向（水平方向）となり幅方向が高さとなるように配置され、壁面Ｂに接着剤で貼り着け設置される（図２参照）。
尚、図中の符号Ｆは、腰壁部材Ｃの上端縁に設けられる見切り材である。
【０００７】
巾木Ａは、その上縁部Ａ１に、壁面Ｂに設置された腰壁部材Ｃの下端縁Ｃ１を挿し込み被掩するための挿込みアンダーカット部１を形成すると共に、腰壁部材Ｃの下端縁Ｃ１表面に付勢接触する壁面圧接縁２を延設せしめ、下縁部Ａ２には床面Ｄに敷設された床部材Ｅの端縁Ｅ１表面に弾性接触して被掩する床面圧接縁３を延設してなる。
この際、本巾木Ａは、全体にわたって同じ肉厚に形成する必要はなく、図示実施例のごとく、挿込みアンダーカット部１を形成する上縁部分Ａ１の肉厚Ｌ２を他の部分より１.５〜３倍程度に肉厚く形成し、且つ肉厚く形成した部分の高さＬ３も、全体の約１／４程度に短く形成することが好ましい。
【０００８】
挿込みアンダーカット部１は、壁面Ｂに設置された腰壁部材Ｃの下端縁Ｃ１を挿し込み被掩するためのものであり、巾木Ａの上縁部Ａ１の裏側に、挿し込まれる腰壁部材Ｃの下端縁Ｃ１の厚みに応じて、腰壁用巾木Ａの裏面Ａ’より０.５ｍｍ〜１０ｍｍ程の深さに形成され、その長さＬ４は５ｍｍ〜５０ｍｍ程に形成される。
【０００９】
壁面圧接縁２は、腰壁部材Ｃの下端縁Ｃ１表面に多少不陸があった場合でもその不陸を吸収して巾木Ａの上縁部Ａ１と腰壁部材Ｃ表面との間に隙間が生じないようにするためのものであり、腰壁部材Ｃの下端縁Ｃ１表面に付勢接触するように、その先端辺２ａが腰壁部材Ｃに向けて鷲の嘴のように鋭く先が曲がり表面が略四半円弧形状をした断面略嘴形状に形成される。
【００１０】
そして床面圧接縁３は、床面Ｄの壁廻りに敷設された床部材Ｅの端縁Ｅ１表面に多少不陸があった場合でもその不陸を吸収して巾木Ａの下縁部Ａ２と床部材Ｅの端縁Ｅ１表面との間に隙間が生じないように床部材Ｅの端縁Ｅ１表面を被掩するためのものであり、その裏面側が床部材Ｅの端縁Ｅ１表面に弾性接触するように、上記壁面圧接縁２とは逆向きに巾木Ａの下縁部Ａ２の下端から表側に向けて円弧状に湾曲した断面略先細り形状に形成される。
【００１１】
また、巾木Ａを形成する合成樹脂としては、柔軟性を有する熱可塑性樹脂であれば特に限定されるものではなく、具体的には、塩化ビニル系樹脂，塩素化ポリエチレン等の含ハロゲン樹脂，ポリエチレン，ポリプロピレン，エチレン−αオレフィン共重合樹脂，プロピレン−αオレフィン共重合樹脂，エチレン−酢酸ビニル共重合樹脂，エチレン−アクリル酸エステル共重合樹脂，エチレン−メタクリル酸エステル共重合樹脂，エチレン−アクリル酸共重合樹脂等のオレフィン系樹脂，オレフィン系熱可塑性エラストマー，スチレン系熱可塑性エラストマー，ポリエステル系熱可塑性エラストマー，ウレタン系熱可塑性エラストマー等の熱可塑性エラストマー、等を挙げることができる。
【００１２】
次に、本発明に係る腰壁用巾木Ａの施工方法について説明する。
先工事（先施工）として、予め建物の壁面Ｂに腰壁部材Ｃを設置しておくと共に、床面Ｄに床部材Ｅを敷設しておく。然る後に、本腰壁用巾木Ａを壁面Ｂに添わせて、本巾木Ａの挿込みアンダーカット部１で腰壁部材Ｃの下端縁Ｃ１を被掩するように腰壁部材Ｃの下端縁Ｃ１に沿って配置すると共に、断面略先細り状に形成された床面圧接縁３の裏面側を、壁廻りに敷設された床部材Ｅすなわち壁面Ｂの壁際に敷設された床部材Ｅの端縁Ｅ１表面に弾性接触させ、その状態で本巾木Ａを壁面Ｂに接着剤で貼り付け固着させる。これで、本腰壁用巾木Ａの施工が完了する。
尚、ここで用いる接着剤としては、周知の両面接着（粘着）テープや、ゴム系，エポキシ系，ウレタン系，酢酸ビニル系，アクリル系等の液状接着剤が好適に使用できる。
【００１３】
【発明の効果】
以上説明したとおり、本発明の請求項１に係る腰壁用巾木によれば、柔軟性を有する熱可塑性樹脂を用いて適宜な巾を有する長尺状に形成され、上縁部に、裏面側に腰壁部材の下端縁を被掩する挿込みアンダーカット部を形成すると共に、表面側に上記腰壁部材の下端縁表面に付勢接触する断面形状が略四半円円弧状であり、先が略鷲の嘴のように鋭く曲がった壁面圧接縁が延設され、当該上記上縁部の裏面上端と壁面圧接縁の根元間が略平坦であり、下縁部には表側に向けて湾曲し断面略先細り形状に形成されその裏面が床部材の端縁表面に弾性接触する床面圧接縁を延設せしめてなるので、以下の効果を奏する。
（１）腰壁部材と統一感を持たせたりバラエティに富んだ表現が可能となり、施工後の外観意匠性が向上する。
（２）壁面に設置された腰壁部材の下端縁は挿込みアンダーカット部で被掩されてしまうので、施工後に腰壁部材の下端縁がめくれ上がったりする惧れがなく、しかも、腰壁部材の施工に際してその下端縁を多少ラフカットしても外見上本巾木との境界部分に隙間が生じたりする惧れがなく、見栄えの良い施工を容易に行うことが出来る。
（３）上縁部には腰壁部材の下端縁表面に付勢接触する断面形状が略鷲の嘴のように先が鋭く曲がり表面が略四半円円弧状をした壁面圧接縁が延設されてなるので、腰壁部材の表面に不陸があってもその不陸を壁面圧接縁で吸収し腰壁部材の表面との間に隙間が生ずることがなく、見栄えの良い施工を行なうことが出来ると共に、表面が円弧形状をなしているので埃等を溜めにくくメンテナンス性にも優れたものとなる。
（４）下縁部には表側に向けて湾曲し断面略先細り形状に形成されその裏面が床部材の端縁表面に弾性接触する床面圧接縁を延設せしめてなるので、壁廻りの床部材の施工に際してその端縁を多少ラフカットしても外見上本巾木との境界部分に隙間が生じる惧れがなく、よって見栄えの良い施工を容易に行うことが出来ると同時に、床部材の表面に不陸があってもその不陸を床面圧接縁で吸収して床部材表面との間に隙間が生ずることがなく、埃等を溜めにくくメンテナンス性にも優れたものとなる。
【００１４】
また、本発明の請求項２に係る腰壁用巾木によれば、前記上縁部を他の部分より肉厚く形成してなるので、巾木の材料コストを抑制しつつ巾木としての立体感を高め、施工後の外観意匠性に優れたものとなる。
【００１５】
更に、本発明に係る腰壁用巾木の施工方法によれば、建物の壁面に腰壁部材を設置し床面に床部材を敷設した後に、本巾木を、その挿込みアンダーカット部で上記腰壁部材の下端縁を被掩するように配置すると共に床面圧接縁で上記壁廻りに敷設された床部材の端縁表面を被掩するように弾性接触させ、その状態で本巾木を建物の壁面に接着剤で貼り付けるようにしたので、先施工にて腰壁部材の下端縁並びに床部材の端縁を多少ラフに処理しても、巾木の施工により挿込みアンダーカット部及び床面圧接縁で外観上体裁良く簡単に被掩することが出来、見栄えの良い外観意匠性に優れた施工を簡便に行なうことが可能となる。
しかも、腰壁部材として腰壁シートを用いた場合でも、従来のように腰壁部材の上から重ね張りせずとも済み、腰壁部材の材料コストの低減化を期することが出来る。
【図面の簡単な説明】
【図１】  本発明実施の一例を示す断面図。
【図２】  本発明に係る腰壁用巾木の設置状況を説明する模式断面図。
【図３】  従来例を説明する設置状態を示す模式断面図。
【図４】  他の従来例を説明する設置状態を示す模式断面図。
【符号の説明】
Ａ：腰壁用巾木                          Ａ１：上縁部
Ａ２：下縁部                                Ｂ：壁面
Ｃ：腰壁部材                            Ｃ１：下端縁
Ｄ：床面                                  Ｅ：床部材
Ｅ１：端縁
１：挿込みアンダーカット部                ２：壁面圧接縁
２ａ：先端辺                                ３：床面圧接縁
【図１】
0004917214.tif 000002
【図２】
0004917214.tif 000003
【図３】
0004917214.tif 000004
【図４】
0004917214.tif 000005